(57)【要約】      （修正有）【課題】長い丈の洗濯物を物干す場合等に、洗濯物がベランダの床に届いて汚してしまうことのない物干補助具を得る。【解決手段】鉛直に形成した杆部１の上端に回転自在な棹受用丸環３１を設け、物干棹等６を懸ける構造とする。杆部１の下方を二股構造の足部１１、１４とし、その下端に蒲鉾形を左右に９０度回転した形状の一対の拡張部１２、１５を設け、既存物干金物棹受部５４に嵌挿する。杆部１は足部１１、１４側面の拡張ネジ１７を回して、両足部を広げることにより一対の拡張部１２、１５が既存物干金物棹受部５４を内側から左右に押圧することになり固定される。更に円盤状の挟持盤２１を一対の拡張部１２、１５に挟持ネジ２３、２５で締付け既存物干金物５を固定する。【選択図】図１
2006087852.tif 000002
【特許請求の範囲】
【請求項１】
鉛直に形成した適当な長さの杆部の上端に回転自在な棹受用丸環を設けてこの棹受用丸環が物干棹または物干紐（以下「物干棹等」という）を懸ける構造を成し当該杆部下方は二股構造の足部よりなる両足部の下端に水平に爪先方向に接続して一対の拡張部を設けこの両拡張部はそれぞれ略蒲鉾形を左右に９０度回転した形状であり当該略蒲鉾形底部が相対する構造でこの一対の拡張部がベランダに設けた既存物干金物棹受部を水平方向に嵌挿し片方の足部の側面からもう一方の足部方向に向けて設けた拡張ネジを回すことにより両足部を広げることで一対の拡張部が既存物干金物棹受部を内側から左右に押し広げて押圧して固定する構造を成しさらに略円盤状の挟持盤に設けた２箇所の挟持盤取付け穴と一対の拡張部に設けた２箇所の挟持ネジ穴とを挟持ネジを用いて締付けることで既存物干金物を挟持して本発明を固定することで棹受部の位置をベランダの床から高い位置にすることができることを特徴とする物干補助金物。
【発明の詳細な説明】
【技術分野】
【０００１】  本発明は、ベランダに設けた既存物干金物に取り付けて使用する物干補助金物に関するものである。
【背景技術】
【０００２】  ベランダに設けた既存物干金物を利用した洗濯物干作業は、当該物干金物に物干棹等を懸けて洗濯物を干すのが一般的である。【０００３】  しかし、全般的にベランダの外壁の高さが低いので、既存物干金物はベランダの床から８０〜９０センチメートルの低い位置の壁面に取り付けられているのが一般的である。【０００４】  長い丈の洗濯物を干す場合やハンガーに懸けて洗濯物を干す場合には、洗濯物がベランダの床に届いて汚れてしまうので非常に不便であり苦心しているのが実情である。【０００５】  マンションのベランダは一般的にマンション管理組合の共用部分に属する専用使用部分であるので、専有部分とは異なり専用使用部分の付属設備を改造することはできないし、また他の物に替えることもできない。
【発明の開示】
【発明が解決しようとする課題】
【０００６】  解決しようとする問題点は、ベランダに設けた既存物干金物を利用して長い丈の洗濯物を干す場合やハンガーに懸けて洗濯物を干す場合に、既存物干金物の取付け位置が低いために洗濯物がベランダの床に届いて汚れてしまうので非常に不便であり、苦心しているのが実状である。
【課題を解決するための手段】
【０００７】  鉛直に形成した適当な長さの杆部の上端に回転自在な棹受用丸環を設けてこの棹受用丸環が物干棹等を懸ける構造を成し当該杆部下方は二股構造の足部よりなる両足部の下端に水平に爪先方向に接続して一対の拡張部を設けこの両拡張部はそれぞれ略蒲鉾形を左右に９０度回転した形状であり当該略蒲鉾形底部が相対する構造でこの一対の拡張部がベランダに設けた既存物干金物棹受部を水平方向に嵌挿し片方の足部の側面からもう一方の足部方向に向けて設けた拡張ネジを回すことにより両足部を広げることで一対の拡張部が既存物干金物棹受部を内側から左右に押し広げて押圧して固定する構造を成しさらに略円盤状の挟持盤に設けた２箇所の挟持盤取付け穴と両足部の拡張部に設けた２箇所の挟持ネジ穴とを挟持ネジを用いて締付けることで既存物干金具を挟持して本発明を固定することで棹受部の位置をベランダの床から高い位置に設定することで課題を解決できる。
【発明の効果】
【０００８】  ベランダに設けた既存物干金物を変更することなしに本発明を既存物干金物に上向き鉛直に取り付けることで、棹受部をベランダの床から高い位置に設定することができるので、長い丈の洗濯物を干す場合やハンガーに懸けて洗濯物を干す場合にも、洗濯物がベランダの床に触れて汚れるのを防止できる利点がある。
【発明を実施するための最良の形態】
【０００９】  本発明をマンションのベランダの既存物干金物に上向き鉛直に取り付けて、物干棹等の位置をベランダの床から高い位置に設定するために物干補助金物として使用し、用が済めば物干棹等を懸けたまま既存物干金物を壁側に収納することが可能である。
【実施例１】
【００１０】  図１は、本発明の１実施例の斜視図である。【００１１】  ベランダ外壁４の内側に設けた既存物干金物棹受部５４または既存物干金物棹受部５３（以下「既存物干金物棹受部５４」という）に本発明を鉛直に挟持固定して使用する。【００１２】  本発明は、杆部１の上端に接続して棹受用丸環３１が棹受取付けネジ３３にて回転自在に取り付けられ、杆部１の両足部（１１、１４）の下端に水平に爪先方向に接続して成る１対の拡張部が、既存物干金物棹受部５４に嵌挿し、拡張ネジ１７を回すことで両足部（１１、１４）の間を広げることができるので、既存物干金物棹受部５４の内側に両拡張部を押圧することになり、杆部１を既存物干金物５に固定し、さらに１対の拡張部には、それぞれ挟持ネジ穴を設け、挟持盤２１の２箇所の挟持盤取付け穴（２２、２４）にそれぞれ挟持ネジ（２３、２５）を用いて挟持ネジ穴に締付けることで、本発明を既存物干金物５にしっかりと挟持固定することができる。【００１３】  図２は、本発明を既存物干金物棹受部５４に鉛直に挟持固定する構造を示した分解説明図である。【００１４】  杆部１の下方は足部１１、足部１４で形成し、それぞれの足部の下端に水平に爪先方向に接続して成る１対の略蒲鉾形拡張部（１２、１５）が、略蒲鉾形を左右に９０度回転して底部を相対して形成する。【００１５】  １対の拡張部（１２、１５）が、既存物干金物５の腕杆５１に設けられた既存物干金物棹受部５４を水平方向に嵌挿し、拡張ネジ１７を回すことで足１１、足１４の股が開くことになり、既存物干金物棹受部５４の内側に拡張部１２、拡張部１５を押圧することで、杆部１を既存物干金物５に固定する構造を成す。【００１６】  拡張部１２、拡張部１５の略蒲鉾形背部分に水平に多数の滑り止め溝を設けることで、杆部１を既存物干金物５に強固に固定できる効果がある。【００１７】  拡張部１２、拡張部１５の略蒲鉾形背部分の円弧の直径ａは、市販の既存物干金物棹受部５４の内径以上に合わせる。また、拡張部高さｂ及び拡張部幅合計ｃ１＋ｃ２は、市販の既存物干金物棹受部５４の内径以下に調整して決めることで、既存物干金物棹受部５４の各種内径サイズに対応可能になる。尚、小さい内径サイズの既存物干金物棹受部５４に１対の拡張部（１２、１５）を嵌挿する方法は、拡張ネジ１７を緩めて両足（１１、１４）を外側から押圧して両足（１１、１４）を狭める方法による。【００１８】  前記のとおり、既存物干金物棹受部５４に嵌挿した１対の拡張部（１２、１５）には、それぞれ挟持ネジ穴（１３、１６）を設け、挟持盤２１に設けた２箇所の挟持盤取付け穴（２２、２４）にそれぞれ挟持ネジ（２３、２５）を用いて挟持ネジ穴（１３、１６）に締付けることで、本発明を既存物干金物５にしっかりと挟持固定することができる。【００１９】  図３は、ベランダの外壁４の内側に設けた２箇所の既存物干金物５に本発明を装着して物干棹等６を懸けた状態の斜視図である。【００２０】  本発明の棹受部３は回転自在に設けられているので、物干棹等６を棹受部３に懸けたままで既存物干金物５を横に９０度回転して収納することができる。
【図面の簡単な説明】
【００２１】
【図１】本発明を既存物干金物に装着した斜視図である。
【図２】既存物干金物に本発明を挟持固定する構造の説明図である。
【図３】ベランダの既存物干金物に本発明を装着し物干棹等を懸けた状態の斜視図である。
【符号の説明】
【００２２】  １    杆部
１１    足部
１２    拡張部
１３    挟持ネジ穴
１４    足部
１５    拡張部
１６    挟持ネジ穴
１７    拡張ネジ
２    挟持盤部
２１    挟持盤
２２    挟持盤取付け穴
２３    挟持ネジ
２４    挟持盤取付け穴
２５    挟持ネジ
３    棹受部
３１    棹受用丸環
３２    棹受取付けネジ穴
３３    棹受取付けネジ
４    ベランダ外壁
５    既存物干金物
５１    腕杆
５２    支点軸
５３    既存物干金物棹受部
５４    既存物干金物棹受部
５５    壁固定金物
５６    支点軸受
５７    壁固定ネジ
６    物干棹等（物干棹または物干紐）
【図１】
2006087852.tif 000003
【図２】
2006087852.tif 000004
【図３】
2006087852.tif 000005